(57)【要約】【課題】  学校内に侵入する不審者を発見すると共に、不審者を監視し、且つ、録画し、更に、不審者の侵入時に緊急連絡、緊急放送を行えるようにした校内のセキュリティシステムを提供する。【解決手段】  ＲＦＩＤ発信器２の発信する識別信号を受信自在のＲＦＩＤ受信器３と、該ＲＦＩＤ受信器３と対に組み合わされて設置され、人を感知した時、信号を発信する人感センサー４とがネットワーク５を介して管理パソコン７に接続され、該管理パソコン７は、登録された登録識別信号を記憶する記憶手段と、前記人感センサー４から信号を受信した時、前記ＲＦＩＤ受信器３から識別信号を受信したか否かを判定し、識別信号を受信しない場合は異常と判定し、且つ、識別信号を受信した時、該識別信号が前記記憶手段に記憶された登録識別信号と一致するか否かを検索して判定し、識別信号が登録識別信号と一致しない場合に異常と判定する判定手段と、該判定手段の出力結果を表示する表示手段（モニター７ａ）とを備えているＲＦＩＤシステム１を含むセキュリティシステムを提供する。【選択図】  図１
2005310066.tif 000002
【特許請求の範囲】
【請求項１】
特定区域内を防犯監視するセキュリティシステムに於いて、ＲＦＩＤ発信器の発信する識別信号を受信自在の少なくとも１台以上のＲＦＩＤ受信器と、該ＲＦＩＤ受信器と対に組み合わされて設置され、人を感知した時、信号を発信する少なくとも１台以上の人感センサーとがネットワークを介して第１管理パソコンに接続され、該第１管理パソコンは、登録された登録識別信号を記憶する記憶手段と、前記人感センサーから信号を受信した時、前記ＲＦＩＤ受信器から識別信号を受信したか否かを判定し、識別信号を受信しない場合は異常と判定し、且つ、識別信号を受信した時、該識別信号が前記記憶手段に記憶された登録識別信号と一致するか否かを検索して判定し、識別信号が登録識別信号と一致しない場合に異常と判定する判定手段と、該判定手段の出力結果を表示する表示手段とを備えているＲＦＩＤシステムを含むことを特徴とするセキュリティシステム。
【請求項２】
上記第１管理パソコンは、少なくとも１台以上の第１パソコン、及び／又は、第１携帯端末に接続され、上記判定手段による出力結果を該第１パソコン、及び／又は、第１携帯端末に配信自在に構成されていることを特徴とする請求項１記載のセキュリティシステム。
【請求項３】
上記第１管理パソコンは、少なくとも１台以上の第１パソコン、及び／又は、第１携帯端末に接続され、上記判定手段による出力結果、及び／又は、検索結果、或いは、該出力結果、及び／又は、検索結果に基づく情報を該第１パソコン、及び／又は、第１携帯端末にメールにて送信するように構成されていることを特徴とする請求項１又は２記載のセキュリティシステム。
【請求項４】
特定区域内を防犯監視するセキュリティシステムに於いて、少なくとも１台以上の監視カメラがネットワークを介して第２管理パソコンに接続され、該監視カメラの映像信号が該第２管理パソコンに送信されることにより、該第２管理パソコンが該映像信号を受信し、該映像信号を該第２管理パソコンの表示装置に表示することによって該監視カメラの映像がモニタリングされるように構成されている監視カメラシステムを備えたことを特徴とするセキュリティシステム。
【請求項５】
上記第２管理パソコンは少なくとも１台以上の第２パソコン、及び／又は、第２携帯端末に接続されると共に、該第２管理パソコンはｗｅｂページ作成手段を有し、該ｗｅｂページ作成手段によって作成されるｗｅｂページは上記監視カメラの撮影する映像を取込んで配信自在に構成され、前記第２パソコン、又は、第２携帯端末から発信される要求に応じて、前記第２管理パソコンから該ｗｅｂページが該第２パソコン、又は、第２携帯端末に送信され、該第２パソコン、又は、第２携帯端末は該ｗｅｂページを受信して前記監視カメラが撮影する映像をモニタリング自在に構成されることを特徴とする請求項４記載のセキュリティシステム。
【請求項６】
上記ｗｅｂページは該ｗｅｂページ上で上記監視カメラを制御自在に構成され、前記第２パソコン、又は、第２携帯端末から発信される要求に応じて、前記第２管理パソコンから該ｗｅｂページが該第２パソコン、又は、第２携帯端末に送信され、該第２パソコン、又は、第２携帯端末は該ｗｅｂページを受信して前記監視カメラが撮影する映像をモニタリング自在に構成されると共に、該ｗｅｂページを介して該監視カメラに制御信号を送信し、該制御信号によって該監視カメラを制御自在であることを特徴とする請求項５記載のセキュリティシステム。
【請求項７】
上記第２パソコン、又は、第２携帯端末の少なくとも１台はインターネットを介して前記第２管理パソコンに接続されていることを特徴とする請求項５又は６記載のセキュリティシステム。
【請求項８】
特定区域内を防犯監視するセキュリティシステムに於いて、少なくとも１台以上のコードレス電話器、及び、少なくとも１台以上の電話器とが相互に通信自在に接続されると共に、該コードレス電話器、及び、該電話器に音声信号を受信する受信装置が通信自在に接続され、該受信装置は特定の識別番号が付与されており、且つ、アンプを介して少なくとも１台以上のスピーカに接続され、緊急時等に前記コードレス電話器又は前記電話器が前記特定の識別番号に発信した時、該受信装置が受信し、前記アンプを介して前記スピーカを音声出力させるように構成された緊急連絡システムを備えたことを特徴とするセキュリティシステム。
【請求項９】
請求項１，２又は３記載のＲＦＩＤシステム、及び、請求項８記載の緊急連絡システムを備え、該ＲＦＩＤシステムの判定手段によって異常判定が出力されると、該異常判定の出力を受信した該緊急連絡システムによって予め録音されたメッセージを出力してスピーカから緊急放送、及び／又は、電話器及びコードレス電話器に緊急連絡を行うように構成されたことを特徴とするセキュリティシステム。
【請求項１０】
請求項１，２又は３記載のＲＦＩＤシステム、及び、請求項４，５，６又は７記載の監視カメラシステムを備え、且つ、該監視カメラシステムは緊急時に録画する緊急時録画手段を備え、該ＲＦＩＤシステムの判定手段によって異常判定が出力されると、該異常判定の出力を受信した該監視カメラシステムは前記緊急時録画手段によって録画を開始するように構成されたことを特徴とするセキュリティシステム。
【請求項１１】
上記監視カメラシステムは、上記緊急時録画手段と共に、常時録画手段を備え、該常時録画手段は一定時間の最新映像が更新録画され、前記緊急時録画手段が録画を開始した時、該緊急録画手段は前記常時録画手段が録画した映像を取り込むことにより該緊急録画手段が録画を開始した時より、一定の時間前から遡及して録画されるように構成されていることを特徴とする請求項１０記載のセキュリティシステム。
【発明の詳細な説明】
【技術分野】
【０００１】
本発明は、セキュリティシステムに関し、特に、学校内に於いて、監視カメラ及びＲＦＩＤ（Radio Frequency Identification:無線周波数による非接触自動識別）システムを用い、更に、緊急時、電話連絡及び校内放送を行うことにより学校内のセキュリティの向上を図ったセキュリティシステムに関するものである。
【背景技術】
【０００２】
近年、犯罪が多発し、犯罪が増加する傾向にあり、更に、犯罪の凶悪化、多様化傾向があり、防犯のための対策がますます重要になってきている。そこで、防犯のための種々の機器を用いたセキュリティシステムが広く普及してきており、そのセキュリティシステムの技術開発も進んでいる。例えば、特許文献１には監視カメラ及び音声検出器で検出した情報を携帯電話に送信するホームセキュリティシステムが記載され、特許文献２には監視区域内の異常発生を通報し、異常発生を確認できるようにすると共に、侵入者を威嚇することができるセキュリティシステムが記載されている。
【特許文献１】特開２００３−３３３２１２号公報
【特許文献２】特開２００４−７０５６４号公報
【発明の開示】
【発明が解決しようとする課題】
【０００３】
前述したように、犯罪が増加傾向にあり、犯罪の増加と共に、特に、学校内にも犯罪が発生しており、学校内の十分な防犯対策が望まれている。
そこで、本発明の目的は、学校内に侵入する不審者を発見すると共に、不審者を監視し、且つ、録画し、更に、不審者の侵入時に緊急連絡、緊急放送を行えるようにした校内のセキュリティシステムを提供する。
【課題を解決するための手段】
【０００４】
上記の課題を解決すべく、本発明は以下の構成を提供する。
請求項１に係る発明は、特定区域内を防犯監視するセキュリティシステムに於いて、ＲＦＩＤ発信器の発信する識別信号を受信自在の少なくとも１台以上のＲＦＩＤ受信器と、該ＲＦＩＤ受信器と対に組み合わされて設置され、人を感知した時、信号を発信する少なくとも１台以上の人感センサーとがネットワークを介して第１管理パソコンに接続され、該第１管理パソコンは、登録された登録識別信号を記憶する記憶手段と、前記人感センサーから信号を受信した時、前記ＲＦＩＤ受信器から識別信号を受信したか否かを判定し、識別信号を受信しない場合は異常と判定し、且つ、識別信号を受信した時、該識別信号が前記記憶手段に記憶された登録識別信号と一致するか否かを検索して判定し、識別信号が登録識別信号と一致しない場合に異常と判定する判定手段と、該判定手段の出力結果を表示する表示手段とを備えているＲＦＩＤシステムを含むことを特徴とするセキュリティシステムを提供するものである。
【０００５】
請求項２に係る発明は、上記第１管理パソコンは、少なくとも１台以上の第１パソコン、及び／又は、第１携帯端末に接続され、上記判定手段による出力結果を該第１パソコン、及び／又は、第１携帯端末に配信自在に構成されていることを特徴とする請求項１記載のセキュリティシステムを提供するものである。
【０００６】
請求項３に係る発明は、上記第１管理パソコンは、少なくとも１台以上の第１パソコン、及び／又は、第１携帯端末に接続され、上記判定手段による出力結果、及び／又は、検索結果、或いは、該出力結果、及び／又は、検索結果に基づく情報を該第１パソコン、及び／又は、第１携帯端末にメールにて送信するように構成されていることを特徴とする請求項１又は２記載のセキュリティシステムを提供するものである。
【０００７】
請求項４に係る発明は、特定区域内を防犯監視するセキュリティシステムに於いて、少なくとも１台以上の監視カメラがネットワークを介して第２管理パソコンに接続され、該監視カメラの映像信号が該第２管理パソコンに送信されることにより、該第２管理パソコンが該映像信号を受信し、該映像信号を該第２管理パソコンの表示装置に表示することによって該監視カメラの映像がモニタリングされるように構成されている監視カメラシステムを備えたことを特徴とするセキュリティシステムを提供するものである。
【０００８】
請求項５に係る発明は、上記第２管理パソコンは少なくとも１台以上の第２パソコン、及び／又は、第２携帯端末に接続されると共に、該第２管理パソコンはｗｅｂページ作成手段を有し、該ｗｅｂページ作成手段によって作成されるｗｅｂページは上記監視カメラの撮影する映像を取込んで配信自在に構成され、前記第２パソコン、又は、第２携帯端末から発信される要求に応じて、前記第２管理パソコンから該ｗｅｂページが該第２パソコン、又は、第２携帯端末に送信され、該第２パソコン、又は、第２携帯端末は該ｗｅｂページを受信して前記監視カメラが撮影する映像をモニタリング自在に構成されることを特徴とする請求項４記載のセキュリティシステムを提供するものである。
【０００９】
請求項６に係る発明は、上記ｗｅｂページは該ｗｅｂページ上で上記監視カメラを制御自在に構成され、前記第２パソコン、又は、第２携帯端末から発信される要求に応じて、前記第２管理パソコンから該ｗｅｂページが該第２パソコン、又は、第２携帯端末に送信され、該第２パソコン、又は、第２携帯端末は該ｗｅｂページを受信して前記監視カメラが撮影する映像をモニタリング自在に構成されると共に、該ｗｅｂページを介して該監視カメラに制御信号を送信し、該制御信号によって該監視カメラを制御自在であることを特徴とする請求項５記載のセキュリティシステムを提供するものである。
【００１０】
請求項７に係る発明は、上記第２パソコン、又は、第２携帯端末の少なくとも１台はインターネットを介して前記第２管理パソコンに接続されていることを特徴とする請求項５又は６記載のセキュリティシステムを提供するものである。
【００１１】
請求項８に係る発明は、特定区域内を防犯監視するセキュリティシステムに於いて、少なくとも１台以上のコードレス電話器、及び、少なくとも１台以上の電話器とが相互に通信自在に接続されると共に、該コードレス電話器、及び、該電話器に音声信号を受信する受信装置が通信自在に接続され、該受信装置は特定の識別番号が付与されており、且つ、アンプを介して少なくとも１台以上のスピーカに接続され、緊急時等に前記コードレス電話器又は前記電話器が前記特定の識別番号に発信した時、該受信装置が受信し、前記アンプを介して前記スピーカを音声出力させるように構成された緊急連絡システムを備えたことを特徴とするセキュリティシステムを提供するものである。
【００１２】
請求項９に係る発明は、請求項１，２又は３記載のＲＦＩＤシステム、及び、請求項８記載の緊急連絡システムを備え、該ＲＦＩＤシステムの判定手段によって異常判定が出力されると、該異常判定の出力を受信した該緊急連絡システムによって予め録音されたメッセージを出力してスピーカから緊急放送、及び／又は、電話器及びコードレス電話器に緊急連絡を行うように構成されたことを特徴とするセキュリティシステムを提供するものである。
【００１３】
請求項１０に係る発明は、請求項１，２又は３記載のＲＦＩＤシステム、及び、請求項４，５，６又は７記載の監視カメラシステムを備え、且つ、該監視カメラシステムは緊急時に録画する緊急時録画手段を備え、該ＲＦＩＤシステムの判定手段によって異常判定が出力されると、該異常判定の出力を受信した該監視カメラシステムは前記緊急時録画手段によって録画を開始するように構成されたことを特徴とするセキュリティシステムを提供するものである。
【００１４】
請求項１１に係る発明は、上記監視カメラシステムは、上記緊急時録画手段と共に、常時録画手段を備え、該常時録画手段は一定時間の最新映像が更新録画され、前記緊急時録画手段が録画を開始した時、該緊急録画手段は前記常時録画手段が録画した映像を取り込むことにより該緊急録画手段が録画を開始した時より、一定の時間前から遡及して録画されるように構成されていることを特徴とする請求項１０記載のセキュリティシステムを提供するものである。
【発明の効果】
【００１５】
本発明の請求項１記載の発明によれば、特定区域内を防犯監視するセキュリティシステムに於いて、ＲＦＩＤ発信器の発信する識別信号を受信自在の少なくとも１台以上のＲＦＩＤ受信器と、該ＲＦＩＤ受信器と対に組み合わされて設置され、人を感知した時、信号を発信する少なくとも１台以上の人感センサーとがネットワークを介して第１管理パソコンに接続され、該第１管理パソコンは、登録された登録識別信号を記憶する記憶手段と、前記人感センサーから信号を受信した時、前記ＲＦＩＤ受信器から識別信号を受信したか否かを判定し、識別信号を受信しない場合は異常と判定し、且つ、識別信号を受信した時、該識別信号が前記記憶手段に記憶された登録識別信号と一致するか否かを検索して判定し、識別信号が登録識別信号と一致しない場合に異常と判定する判定手段と、該判定手段の出力結果を表示する表示手段とを備えているＲＦＩＤシステムを含むセキュリティシステムを提供するので、前記人感センサーから信号を受信した時、識別信号を受信しない場合は異常と判定し、且つ、識別信号を受信した時、識別信号が登録識別信号と一致しない場合に異常と判定することにより、特定区域内に侵入してきた不審者を発見することができる。
【００１６】
請求項２記載の発明によれば、上記第１管理パソコンは、少なくとも１台以上の第１パソコン、及び／又は、第１携帯端末に接続され、上記判定手段による出力結果を該第１パソコン、及び／又は、第１携帯端末に配信自在に構成されているので、請求項１記載の発明の効果に加え、１台以上のパソコン、及び／又は、携帯端末によって、前記判定手段による出力結果を表示することができ、該パソコンの設置された場所に於いて、不審者を発見することができる。
【００１７】
請求項３記載の発明によれば、上記第１管理パソコンは、少なくとも１台以上の第１パソコン、及び／又は、第１携帯端末に接続され、上記判定手段による出力結果、及び／又は、検索結果、或いは、該出力結果、及び／又は、検索結果に基づく情報を該第１パソコン、及び／又は、第１携帯端末にメールにて送信するように構成されているので、請求項１又は２記載の発明の効果に加え、１台以上のパソコン、及び／又は、携帯端末によって、前記判定手段による出力結果、及び／又は、検索結果、或いは、該判定手段による出力結果、及び／又は、検索結果に基づく情報をメールにて受信することができる。
【００１８】
請求項４記載の発明によれば、特定区域内を防犯監視するセキュリティシステムに於いて、少なくとも１台以上の監視カメラがネットワークを介して第２管理パソコンに接続され、該監視カメラの映像信号が該第２管理パソコンに送信されることにより、該第２管理パソコンが該映像信号を受信し、該映像信号を該第２管理パソコンの表示装置に表示することによって該監視カメラの映像がモニタリングされるように構成されている監視カメラシステムを備えたセキュリティシステムを提供するので、１台以上の監視カメラが撮影した映像を前記管理パソコンによってモニタリングすることができる。
【００１９】
請求項５記載の発明によれば、上記第２管理パソコンは少なくとも１台以上の第２パソコン、及び／又は、第２携帯端末に接続されると共に、該第２管理パソコンはｗｅｂページ作成手段を有し、該ｗｅｂページ作成手段によって作成されるｗｅｂページは上記監視カメラの撮影する映像を取込んで配信自在に構成され、前記第２パソコン、又は、第２携帯端末から発信される要求に応じて、前記第２管理パソコンから該ｗｅｂページが該第２パソコン、又は、第２携帯端末に送信され、該第２パソコン、又は、第２携帯端末は該ｗｅｂページを受信して前記監視カメラが撮影する映像をモニタリング自在に構成されるので、請求項４記載の発明の効果に加え、少なくとも１台以上のパソコン、又は、第２携帯端末によって監視カメラの撮影する映像をモニタリングすることができる。
【００２０】
請求項６記載の発明によれば、上記ｗｅｂページは該ｗｅｂページ上で上記監視カメラを制御自在に構成され、前記第２パソコン、又は、第２携帯端末から発信される要求に応じて、前記第２管理パソコンから該ｗｅｂページが該第２パソコン、又は、第２携帯端末に送信され、該第２パソコン、又は、第２携帯端末は該ｗｅｂページを受信して前記監視カメラが撮影する映像をモニタリング自在に構成されると共に、該ｗｅｂページを介して該監視カメラに制御信号を送信し、該制御信号によって該監視カメラを制御自在であるので、請求項５記載の発明の効果に加え、前記パソコン、又は、第２携帯端末によって、該ｗｅｂページを介して前記監視カメラが撮影する映像をモニタリングできると共に、該監視カメラを制御して撮影条件を変更することも可能である。
【００２１】
請求項７記載の発明によれば、上記第２パソコン、又は、第２携帯端末の少なくとも１台はインターネットを介して前記第２管理パソコンに接続されているので、請求項５又は６記載の発明の効果に加え、遠隔地に置かれたパソコン、又は、第２携帯端末でも前記監視カメラが撮影する映像をモニタリングできると共に、該監視カメラを制御して撮影条件を変更することが可能となる。
【００２２】
請求項８記載の発明によれば、特定区域内を防犯監視するセキュリティシステムに於いて、少なくとも１台以上のコードレス電話器、及び、少なくとも１台以上の電話器とが相互に通信自在に接続されると共に、該コードレス電話器、及び、該電話器に音声信号を受信する受信装置が通信自在に接続され、該受信装置は特定の識別番号が付与されており、且つ、アンプを介して少なくとも１台以上のスピーカに接続され、緊急時等に前記コードレス電話器又は前記電話器が前記特定の識別番号に発信した時、該受信装置が受信し、前記アンプを介して前記スピーカを音声出力させるように構成された緊急連絡システムを備えたセキュリティシステムを提供するので、前記コードレス電話器、及び、電話器間で相互の音声による連絡ができると共に、通常の電話器としての利用も可能であり、更に、緊急時には、直ちに、前記コードレス電話器、及び、電話器からスピーカを用いた放送が可能である。
【００２３】
請求項９記載の発明によれば、請求項１，２又は３記載のＲＦＩＤシステム、及び、請求項８記載の緊急連絡システムを備え、該ＲＦＩＤシステムの判定手段によって異常判定が出力されると、該異常判定の出力を受信した該緊急連絡システムによって予め録音されたメッセージを出力してスピーカから緊急放送、及び／又は、電話器及びコードレス電話器に緊急連絡を行うように構成されたセキュリティシステムを提供するので、不審者等が侵入した時等の緊急事態に於いて、自動的に予め録音されたメッセージをスピーカから放送できると共に、該メッセージを電話器及びコードレス電話器に流して緊急事態を連絡することができる。
【００２４】
請求項１０記載の発明によれば、請求項１，２又は３記載のＲＦＩＤシステム、及び、請求項４，５，６又は７記載の監視カメラシステムを備え、且つ、該監視カメラシステムは緊急時に録画する緊急時録画手段を備え、該ＲＦＩＤシステムの判定手段によって異常判定が出力されると、該異常判定の出力を受信した該監視カメラシステムは前記緊急時録画手段によって録画を開始するように構成されたセキュリティシステムを提供するので、不審者の侵入等の緊急事態発生時に自動的に直ちに監視カメラが撮影する映像を録画することができる。
【００２５】
請求項１１記載の発明によれば、上記監視カメラシステムは、上記緊急時録画手段と共に、常時録画手段を備え、該常時録画手段は一定時間の最新映像が更新録画され、前記緊急時録画手段が録画を開始した時、該緊急録画手段は前記常時録画手段が録画した映像を取り込むことにより該緊急録画手段が録画を開始した時より、一定の時間前から遡及して録画されるように構成されているので、請求項１０記載の発明の効果に加え、緊急事態発生前からの録画が可能になり、緊急事態前の映像を得ることができ、緊急事態の事前の把握が可能になる。
【発明を実施するための最良の形態】
【００２６】
以下、実施例を示した図面を参照しつつ本発明の実施の形態を説明する。
図１は、本発明の特定区域内である学校内を防犯監視するセキュリティシステムに含まれるＲＦＩＤシステム１を示し、該ＲＦＩＤシステム１は、校門や通用門、校舎の入口、教室の入口等に設置され、ＲＦＩＤ発信器２，２…の発信する識別信号をアクティブ型（発信器を受信器にかざす必要がなく、発信器を携帯した人が受信器の側を通過すると受信可能な受信型式）で受信自在の少なくとも１台以上のＲＦＩＤ受信器３，３…と、該ＲＦＩＤ受信器３，３…と対に組み合わされて設置され、人を感知した時、信号を発信する少なくとも１台以上の人感センサー４，４…とがネットワーク５を介して職員室６に設置される管理パソコン７に接続されている。
【００２７】
そして、該管理パソコン７は、図２に示す如く、予め登録された登録識別信号８，８…を記憶する記憶手段９と、前記人感センサー４から信号を受信した時、前記ＲＦＩＤ受信器３から識別信号を受信したか否かを判定し、識別信号を受信しない場合は異常と判定し、且つ、識別信号を受信した時、該識別信号が前記記憶手段９に記憶された登録識別信号８，８…と一致するか否かを検索して判定し、識別信号が登録識別信号８，８…と一致しない場合に異常と判定する判定手段１０と、該判定手段１０の出力結果を表示する表示手段であるモニター７ａとを備えている。
【００２８】
又、前記管理パソコン７は、前記ネットワーク５を介して事務室１２に設置されたパソコン１３、及び、警備員室１４に設置されたパソコン１５に接続され、相互に通信自在となっている。
【００２９】
更に、前記管理パソコン７はインターネット１６を介して遠隔地等に設置された、例えば、学校の生徒の父兄が操作するパソコン１７，１７…、及び／又は、基地局１７Ａを経由して携帯端末１７Ｂ，１７Ｂ…に接続され、前記判定手段１０の出力結果は該管理パソコン７が作成するｗｅｂページを介して該パソコン１７，１７…、及び／又は、携帯端末１７Ｂ，１７Ｂ…に受信自在に構成されている。
【００３０】
而して、図１及び図２を併せ用いて、図３に示すフローチャートを説明すると、人が前記人感センサー４に近づくと該人感センサー４が信号を発信し（ステップＳ１）、該人感センサー４と対に組み合わされて設置されたＲＦＩＤ受信器３に人が近づいた時、人が所定のＲＦＩＤ発信器２を携帯していた場合、該ＲＦＩＤ発信器２は識別信号を発信し（ステップＳ２）、該ＲＦＩＤ受信器３は受信する（ステップＳ３）。
【００３１】
そして該人感センサー４から発信される信号と、該ＲＦＩＤ受信器３から発信される識別信号は前記ネットワーク５を介して前記管理パソコン７に受信され（ステップＳ４）、該管理パソコン７に於いて該管理パソコン７が備える判定手段１０によって該識別信号を検索キーワードとして前記管理パソコン７が記憶する登録識別記号８，８…を検索し、検索結果がヒットした時、即ち、該識別記号が登録済であった場合は（ステップＳ５）、該判定手段１０は異常なしである正常判定をして（ステップＳ６）、その結果をモニター７ａに表示する（ステップＳ７）。
【００３２】
前記ステップＳ２に於いて、前記ＲＦＩＤ発信器２が発信しない場合は、前記
人感センサー４が発信した信号のみが前記管理パソコン７に受信され（ステップＳ８）、該管理パソコン７は異常であるとして異常判定を行う（ステップＳ９）。
【００３３】
又、前記ステップＳ５に於いて、検索結果がヒットしない時、即ち、該識別記号が登録済でない場合も該管理パソコン７は異常であるとして異常判定を行う（ステップＳ９）。そして、ステップＳ９の異常判定結果はモニター７ａに表示される（ステップＳ７）。尚、モニター７ａの結果表示方法としては、異常、正常のみをその都度表示する方法、一覧表にして、識別番号と共に表示する方法、又は、識別番号を生徒名に変換して表示する方法等、種々の方法が考えられる。
【００３４】
更に、該モニター７ａに表示される情報と同様の情報が前記事務室１２に設置されたパソコン１３、及び、警備員室１４に設置されたパソコン１５に送信され、該パソコン１３，１５のモニター１３ａ，１５ａに表示される。
【００３５】
更に又、前記パソコン１７，１７…、又は、携帯端末１７Ｂ，１７Ｂ…からの要求に応じて、前記ｗｅｂページが前記管理パソコン７から送信され、該ｗｅｂページを介して前記モニター７ａに表示される情報と略同様の情報を該パソコン１７，１７…、又は、携帯端末１７Ｂ，１７Ｂ…で見ることができる。
更に、前記管理パソコン７から前記パソコン１７，１７…、又は、携帯端末１７Ｂ，１７Ｂ…に自動的にメール送信することができ、該メール送信によって前記判定手段１０の判定結果や、検索結果を送信することができ、或いは、該判定結果や、検索結果に基づく情報、即ち、該判定結果や、検索結果と、検索された登録識別情報が示す生徒と、該生徒の父兄が操作するパソコン１７、又は、携帯端末１７Ｂのメールアドレスとを組み合わせて用いること等により、例えば、個々の生徒の学校への登下校情報、授業への出欠席情報等を該生徒の父兄が操作する前記パソコン１７，１７…、又は、携帯端末１７Ｂ，１７Ｂ…に夫々メール送信して知らせることも可能である。
【００３６】
斯くして、前記ＲＦＩＤシステム１は、前記異常判定出力によって、容易、且つ、確実に校内に侵入してきた不審者を発見することができる。
尚、前記事務室１２に設置されたパソコン１３、及び、警備員室１４に設置されたパソコン１５も前記ｗｅｂページを介して前記モニター７ａに表示される情報と略同様の情報を見ることができるようにすることも可能である。
【００３７】
図４は、本発明のセキュリティシステムに含まれる監視カメラシステム２０を示し、該監視カメラシステム２０は、校舎内に設置された複数の屋内監視カメラ２１，２１…、及び、正門や通用門等の屋外に設置された屋外監視カメラ２２，２２…がネットワーク５を介して警備員室１４に設置された監視カメラシステム用管理パソコン２３に接続され、該管理パソコン２３のモニター２３ａによって前記屋内監視カメラ２１，２１…、及び、屋外監視カメラ２２，２２…の映像が
フルスクリーン表示や４〜１６分割の多分割画面等でモニタリング可能に構成されていると共に、該管理パソコン２３から制御信号を出力することにより該屋内監視カメラ２１，２１…、及び、屋外監視カメラ２２，２２…が制御（パン、チルト、ズームの制御）できるように構成されている。
【００３８】
そして、該管理パソコン２３には前記屋内監視カメラ２１，２１…、及び、屋外監視カメラ２２，２２…から送信される撮影映像を常時録画する常時録画手段である常時録画装置２４と、緊急時に録画する緊急時録画手段である緊急時録画装置２５を備え、該常時録画装置２４は一定時間の最新映像が自動的に更新録画され、該緊急時録画装置２５は異常事態発生時、又は、録画指示があった時、録画を開始すると共に、録画を開始した時、前記常時録画装置２４が録画した映像を取り込むことにより該緊急録画装置２５が録画を開始した時より、一定時間前から遡及して録画されるように構成されている。
【００３９】
尚、前記常時録画装置２４及び緊急時録画装置２５の記憶媒体はメモリー、ＨＤＤ、又は、ＤＶＤディスク等のランダムアクセスが可能が媒体が好適であるが、他の記憶媒体を用いることもできる。
【００４０】
又、前記常時録画装置２４及び緊急時録画装置２５は図に於いて外部装置として示したが、前記管理パソコン２３内に内蔵されても良く、然る時も同様の効果が期待できる。
【００４１】
更に、前記管理パソコン２３は職員室６に設置されたパソコン２６及び事務室１２に設置されたパソコン２７に接続されると共に、該管理パソコン２３はｗｅｂページ作成手段２８を有し、該ｗｅｂページ作成手段２８によって作成されるｗｅｂページは前記屋内監視カメラ２１，２１…及び／又は屋外監視カメラ２２，２２…の撮影する映像を取込んで配信自在に構成され、且つ、前記パソコン２６又は２７から発信される要求に応じて、前記管理パソコン２３から該ｗｅｂページが該パソコン２６又は２７に送信され、該パソコン２６又は２７は該ｗｅｂページを受信して屋内監視カメラ２１，２１…及び／又は屋外監視カメラ２２，２２…の撮影する映像をフルスクリーン表示や４〜１６分割の多分割画面等によってモニタリング可能に構成されていると共に、該ｗｅｂページを介して該屋内監視カメラ２１，２１…及び／又は屋外監視カメラ２２，２２…に制御信号を送信し、該制御信号によって該屋内監視カメラ２１，２１…及び／又は屋外監視カメラ２２，２２…を制御（パン、チルト、ズームの制御）できるように構成されている。
【００４２】
更に又、前記管理パソコン２３はインターネット２９を介して学校に通う生徒の父兄の操作するパソコン３０，３０…、及び／又は、基地局３０Ａを経由して携帯端末３０Ｂ，３０Ｂ…に接続され、遠隔地から、前記パソコン２６，２７と同様にモニタリングできると共に、前記屋内監視カメラ２１，２１…及び／又は屋外監視カメラ２２，２２…を制御できるように構成されている。
【００４３】
而して、前記屋内監視カメラ２１，２１…及び／又は屋外監視カメラ２２，２２…が作動し、映像信号が発信されると、該映像信号は前記管理パソコン２３に受信され、該管理パソコン２３は該管理パソコン２３が備えたｗｅｂページ作成手段２８により作成されたｗｅｂページを介して前記映像信号による映像を取込んで配信自在となり、該管理パソコン２３にネットワーク５を介して接続された職員室６に設置されたパソコン２６、又は、事務室１２に設置されたパソコン２７からの要求によって、該管理パソコン２３は前記ｗｅｂページを送信し、該パソコン２６、又は、パソコン２７は該ｗｅｂページを介して前記屋内監視カメラ２１，２１…及び／又は屋外監視カメラ２２，２２…が撮影した映像をモニタリングすることができる。
【００４４】
又、該ｗｅｂページを介して該パソコン２６，２７から該屋内監視カメラ２１，２１…及び／又は屋外監視カメラ２２，２２…に制御信号を送信し、該制御信号によって該屋内監視カメラ２１，２１…及び／又は屋外監視カメラ２２，２２…を制御することができる。
【００４５】
更に、前記管理パソコン２３はインターネット２９を介して生徒の父兄が操作するパソコン３０，３０…、及び／又は、基地局３０Ａを経由して携帯端末３０Ｂ，３０Ｂ…に接続されているので、該パソコン３０、又は、携帯端末３０Ｂから発信される要求に応じて、前記管理パソコン２３は前記ｗｅｂページを送信し、該ｗｅｂページを介して前記屋内監視カメラ２１，２１…、及び／又は、屋外監視カメラ２２，２２…が撮影する映像を該パソコン３０、又は、携帯端末３０Ｂに配信し、該パソコン３０、又は、携帯端末３０Ｂによって該映像をフルスクリーン表示や４〜１６分割の多分割画面等によってモニタリングできると共に、該ｗｅｂページを介して該パソコン３０、又は、携帯端末３０Ｂから該屋内監視カメラ２１，２１…、及び／又は、屋外監視カメラ２２，２２…に制御信号を送信し、該制御信号によって該屋内監視カメラ２１，２１…、及び／又は、屋外監視カメラ２２，２２…を制御できる。
【００４６】
更に又、前記管理パソコン２３に備えられた前記常時録画装置２４は一定時間の最新映像が自動的に更新録画され、前記緊急時録画装置２５は前記ＲＦＩＤシステム（図１に於いて１）の判定手段（図２に於いて１０）によって異常判定が出力されると録画を自動開始すると共に、該管理パソコン２３、職員室６に設置されたパソコン２６、事務室１２に設置されたパソコン２７からの指示信号、又は、前記緊急時録画装置２５のスイッチを直接押すことにより録画を開始し、且つ、録画を開始した時、前記常時録画装置２４が録画した映像を取り込むことにより該緊急録画装置２５が録画を開始した時より、一定時間前から遡及して録画される。尚、前記常時録画装置２４に代えて、同様に機能する常時録画手段を該緊急録画装置２５内に設けることも可能であり、然る時も同様な効果が期待できると共に、装置のコンパクト化が図れる。
【００４７】
斯くして、前記監視カメラシステム２０は、緊急事態発生時に、緊急事態時の録画が可能になり、且つ、緊急事態発生前からの録画が可能になり、緊急事態前後の映像を得ることができ、緊急事態前後の事態の把握が可能になる。
【００４８】
尚、前記職員室６に設置されたパソコン２６及び事務室１２に設置されたパソコン２７に代えて、前記管理パソコン２３に接続されたモニターを設置することも可能であるが、然る時は、該モニターには管理パソコン２３が送信した画面がそのまま表示され、画面の表示方法を選択して切り替えることは不可能となり、且つ、該モニターからは前記屋内監視カメラ２１，２１…及び／又は屋外監視カメラ２２，２２…の制御は不可能である等の制限が発生する。
【００４９】
図５は、本発明のセキュリティシステムに含まれる緊急連絡システム３１を示し、該緊急連絡システム３１は、少なくとも１台以上のコードレス電話器３２，３２…、職員室６の電話器３３、事務室１２の電話器３４、及び、警備員室１４の電話器３５とが相互に通信自在に接続されると共に、該コードレス電話器３２，３２…、及び、該電話器３３，３４，３５に音声信号を受信できる受信装置であるモデム（図示せず）付の管理パソコン３６が通信自在に接続され、該管理パソコン３６は特定の識別番号である電話番号が付与されており、且つ、アンプ３７を介して少なくとも１台以上のスピーカ３８，３８…に接続されている。
【００５０】
而して、前記コードレス電話器３２，３２…、職員室６の電話器３３、事務室１２の電話器３４、及び、警備員室１４の電話器３５は常時、通話による相互連絡が可能であると共に、緊急時の連絡も可能である。
【００５１】
又、緊急時に前記コードレス電話器３２，３２…、職員室６の電話器３３、事務室１２の電話器３４、又は、警備員室１４の電話器３５から、前記管理パソコン３６の電話番号に電話をかけると、その音声信号は該管理パソコン３６からアンプ３７を介して前記スピーカ３８，３８…を音声出力させることにより校内放送を行うことができる。
【００５２】
尚、前記管理パソコン３６に代えて他の音声受信装置（図示せず）を用いることも可能であり、然る時も同様の効果が期待できる。
又、前記図１、図４及び図５に於いて、職員室６に設置される管理パソコン７、パソコン２６、管理パソコン３６は１台のパソコンを兼用して用いることも可能であり、事務室１２に設置されるパソコン１３と、パソコン２７も一台のパソコンを兼用して用いることが可能であり、警備員室１４に設置されるパソコン１５と、パソコン２３も１台のパソコンを兼用して用いることができる。
更に、管理パソコン、及び、パソコンを設置する場所は前述した場所に限定されることなく、他の場所に設置することも可能であり、パソコンの設置台数は０又は１以上の任意の台数であっても良い。
【００５３】
図６は前記ＲＦＩＤシステム１、監視カメラシステム２０、及び、前記緊急連絡システム３１を組み合わせた校内のセキュリティシステム３９を示す。
該ＲＦＩＤシステム１は監視カメラシステム２０に接続されて、該ＲＦＩＤシステム１の出力結果が監視カメラシステム２０に出力され、又、該ＲＦＩＤシステム１は前記緊急連絡システム３１に接続されて該ＲＦＩＤシステム１の出力結果が該緊急連絡システム３１に出力される構成になっている。
【００５４】
図７は前記ＲＦＩＤシステム１と前記監視カメラシステム２０の組合せによる作動のフローチャートを示し、ＲＦＩＤシステム１が前記判定手段１０によって異常出力をすると（ステップＳ１１）、該出力は監視カメラシステム２０の管理パソコン２３に受信され、該管理パソコン２３は前記緊急時録画装置２５を作動させて録画を開始する（ステップＳ１２）。その時、録画は作動開始時間よりも所定時間遡及して録画される。そして、所定時間の経過により（ステップＳ１３）、又は、録画の手動停止により（ステップＳ１４）、録画は停止する（ステップＳ１５）。
【００５５】
図８は前記ＲＦＩＤシステム１と前記緊急連絡システム３１の組合せによる作動のフローチャートを示し、ＲＦＩＤシステム１が前記判定手段１０によって異常出力すると（ステップＳ２１）、該出力は緊急連絡システム３１の管理パソコン３６に受信され（ステップＳ２２）、該管理パソコン３６は該異常出力に基づき、該管理パソコン３６に予め録音されたメッセージをスピーカ３８から出力して緊急放送を行い、更に／又は、予め録音されたメッセージを前記電話器３３，３４，３５、及びコードレス電話器３２，３２…に送信して緊急連絡を行う（ステップＳ２３）。
【００５６】
図９は前記ＲＦＩＤシステム１を利用したアプリケーションである出欠席システム４０の説明図であり、ＲＦＩＤシステム１のＲＦＩＤ発信器２及びＲＦＩＤ受信器３は教室の入口等に設置され、該出欠席システム４０は職員室に設置された、或いは、教室内等に設置された管理パソコン４１内の記憶手段４２内に記憶され、該出欠席システム４０内には、予め登録された生徒データ４３が蓄積されると共に、出欠表を作成するための表作成手段４４と、前記ＲＦＩＤシステム１から受信する情報を取り込む受信情報取込手段４５と、検索手段４６と、記録手段４７とを備えている。
【００５７】
而して、図１０に示す如く、前記管理パソコン４１は前記表作成手段４４によって前記生徒データ４３に基づく表を作成すると共に（ステップＳ３１）、前記受信情報取込手段４５によって前記ＲＦＩＤシステム１からの受信情報を取込み（ステップＳ３２）、該受信情報によって前記生徒データ４３を検索する（ステップＳ３３）。そして、検索によってヒットした受信情報の生徒情報は前記表に出席として記録される（ステップＳ３４）。そして、ステップＳ３１からステップＳ３４までの処理は全員出席となるまで（ステップＳ３５）、又は、授業開始時刻が経過するまで繰り返し行われる（ステップＳ３６）。そして、授業開始時刻が経過した時、欠席者がいる場合は欠席者の記録をした後（ステップＳ３７）、或いは、全員出席が確認された時、出欠表を集計する（ステップＳ３８）。
【００５８】
斯くして、前記出欠席システム４０はＲＦＩＤシステム１を利用して容易に、且つ、短時間に生徒の出欠をとることができる。
図１１は、前記セキュリティシステム３９に更に追加して用いることができる、或いは単独で用いることができる入退室管理システムの処理手順を示すフローチャートであり、該入退室管理システムは静脈認証、顔認証、指紋認証、又は虹彩認証等の生体情報認証（図示せず）と、図１に示したＲＦＩＤ発信器２、ＲＦＩＤ受信器３、人感センサー４、管理パソコン７等を備えた前記ＲＦＩＤ認証を組み合わせたシステムであり、前記生体情報認証がＯＫであり（ステップＳ４１）、該ＲＦＩＤ認証がＯＫであった時（ステップＳ４２）、ＲＦＩＤ発信器２に形成されたタグのボタンを押すと（ステップＳ４３）、扉のロックが解除され（ステップＳ４４）、扉を開けることができる。そして、扉を開けた後（ステップＳ４５）、扉が閉まると（ステップＳ４６）、扉が自動的にロックされる（ステップＳ４７）。
【００５９】
そして、前記ステップＳ４１で生体情報認証がＯＫでない時、前記ステップＳ４２で該ＲＦＩＤ認証がＯＫでない時、又は、前記ステップＳ４３でタグのボタンを押さなかった時、扉のロックは解除されない。又、扉のロックが解除された時、扉を開けた後、扉を閉めるまでは扉のロック解除状態が維持される。但し、扉を開ける前にキー等を用いて手動によってロック状態に戻すことが可能である。
【図面の簡単な説明】
【００６０】
【図１】本発明の一実施の形態を示し、ＲＦＩＤシステムの説明図。
【図２】図１に示す管理パソコンの説明図。
【図３】図１に示すＲＦＩＤシステムのフローチャート図。
【図４】本発明の一実施の形態を示し、監視カメラシステムの説明図。
【図５】本発明の一実施の形態を示し、緊急連絡システムの説明図。
【図６】本発明の一実施の形態を示し、セキュリティシステムの説明図。
【図７】本発明の一実施の形態を示し、ＲＦＩＤシステムと監視カメラシステムの連動を示すフローチャート図。
【図８】本発明の一実施の形態を示し、ＲＦＩＤシステムと緊急連絡システムの連動を示すフローチャート図。
【図９】本発明の他の実施の形態を示し、出欠席システムを備えた管理パソコンの説明図。
【図１０】図９に示す出欠席システムのフローチャート図。
【図１１】本発明の更に他の実施の形態を示し、入退室管理システムのフローチャート図。
【符号の説明】
【００６１】
１  ＲＦＩＤシステム
２  ＲＦＩＤ発信器
３  ＲＦＩＤ受信器
４  人感センサー
５  ネットワーク
７，２３，３６  管理パソコン
８  登録識別信号
９  記憶手段
１０  判定手段
１３，１５，１７，２６，２７，３０  パソコン
１６  インターネット
２０  監視カメラシステム
２８  ｗｅｂページ作成手段
３２  コードレス電話
３３，３４，３５  電話器
３７  アンプ
３８  スピーカ
３９  セキュリティシステム
【図１】
2005310066.tif 000003
【図２】
2005310066.tif 000004
【図３】
2005310066.tif 000005
【図４】
2005310066.tif 000006
【図５】
2005310066.tif 000007
【図６】
2005310066.tif 000008
【図７】
2005310066.tif 000009
【図８】
2005310066.tif 000010
【図９】
2005310066.tif 000011
【図１０】
2005310066.tif 000012
【図１１】
2005310066.tif 000013